(57)【要約】本発明は、オプトエレクトロニクス素子に関しており、オプトエレクトロニクス式のチップ（１）を備えており、中央領域（３）と接続部（４１，４２，４３，４４）とを有するチップ支持体（２）を備えており、中央領域（３）にチップ（１）が取り付けられており、接続部（４１，４２，４３，４４）が、チップ支持体（２）の中央領域（３）から出発して外向きに延びており、チップ（１）と、チップ支持体（２）の一部とが、ボディ（５）によって包囲されており、チップ（１）とチップ支持体（２）との間のコンタクト平面に対する、ボディと、接続部の長手軸線との投影が、それぞれチップの中心点に対して実質的に点対称になっている。さらに本発明は素子の配置構造に関する。素子の対称的な構成によって、素子の、熱機械的な条件による故障リスクが減少される、という利点が得られる。
2006508537.tif 000002
【特許請求の範囲】
【請求項１】
オプトエレクトロニクス素子において、
オプトエレクトロニクス式のチップ（１）を備えており、
中央領域（３）と接続部（４１，４２，４３，４４）とを有するチップ支持体（２）を備えており、中央領域（３）にチップ（１）が取り付けられており、接続部（４１，４２，４３，４４）が、チップ支持体（２）の中央領域（３）から出発して外向きに延びており、
チップ（１）と、チップ支持体（２）の一部とが、ボディ（５）によって包囲されており、
チップ（１）とチップ支持体（２）との間のコンタクト面に対する、ボディ（５）と、接続部（４１，４２，４３，４４）の長手中央軸線（６１，６２，６３，６４）との投影が、それぞれチップ（１）の中心点（８）の投影に対して実質的に点対称になっていることを特徴とする、オプトエレクトロニクス式のチップ。
【請求項２】
接続部が、チップ支持体から出発して実質的に一平面上を外向きに延びている、請求項１記載の素子。
【請求項３】
チップとチップ支持体との間のコンタクト面が、チップ支持体に対するチップの取付平面によって形成されている、請求項１または２記載の素子。
【請求項４】
ボディ（５）が、放射透過性の材料から形成されている、請求項１から３までのいずれか１項記載の素子。
【請求項５】
ボディ（５）が、ケーシング（１１）を備えており、該ケーシング（１１）が、凹所（１２）を備えており、
凹所（１２）に、放射透過性のカバー（１３）が配置されており、該カバー（１３）にチップ（１）が埋め込まれており、
チップ（１）とチップ支持体（１）との間のコンタクト平面に対するカバー（１３）の投影が、チップ（１）の中心点（８）に対して実質的に点対称になっている、請求項１から３までのいずれか１項記載の素子。
【請求項６】
チップ（１）とチップ支持体（２）との間のコンタクト平面に対する、カバーと凹所（１２）の底部との間のコンタクト面（１４）の投影が、チップ（１）の中心点（８）に対して実質的に点対称になっている、請求項５記載の素子。
【請求項７】
チップ（１）とチップ支持体（２）との間のコンタクト平面に対するチップ支持体（２）の投影が、チップ（１）の中心点（８）に対して実質的に点対称になっている、請求項１から６までのいずれか１項記載の素子。
【請求項８】
チップ支持体（２）から分離した別の接続部（４８，４９）が設けられており、チップ（１）とチップ支持体（２）との間のコンタクト平面に対する別の接続部（４８，４９）の投影が、チップ（１）の中心点（８）に対して実質的に点対称になっている、請求項１から７までのいずれか１項記載の素子。
【請求項９】
ボディ（５）にチップ支持体（２）を固定するための複数の手段が設けられており、これらの固定手段が、非対称的に配置されている、請求項１から８までのいずれか１項記載の素子。
【請求項１０】
ボディ（５）にチップ支持体（２）を固定するための複数の手段が、チップ支持体（２）に沿って均等に分配されている、請求項９記載の素子。
【請求項１１】
ボディ（５）にチップ支持体（２）を固定するための複数の手段が設けられており、チップ（１）とチップ支持体（２）との間のコンタクト平面に対する固定手段の投影が、チップ（１）の中心点（８）に対して実質的に点対称になっている、請求項１から８までのいずれか１項記載の素子。
【請求項１２】
各接続部（４１，４２，４３，４４）が、ボディ（５）の下面にろう接面を備えている、請求項１から１１までのいずれか１項記載の素子。
【請求項１３】
チップ支持体（２）のろう接面（１６）が、プリント基板（１７）の導電性の面（１８）にろう接されている、請求項１から１２までのいずれか１項記載の素子。
【発明の詳細な説明】
【技術分野】
【０００１】
本発明は、オプトエレクトロニクス式のチップとチップ支持体とケーシングとを備えたオプトエレクトロニクス素子に関する。
【０００２】
このような形式の素子は、たとえば国際公開第９９／０７０２３号パンフレットから公知である。このような素子では、オプトエレクトロニクス式のチップはチップ支持体に取り付けられている。チップおよびチップ支持体の一部は、ケーシングによって包囲されていて、かつケーシングに埋め込まれている。ケーシングは、たとえば射出成形によって製作することができる。チップ支持体は、オプトエレクトロニクス式のチップの取り付けられる領域を有している。さらにチップ支持体は接続部を備えており、接続部は、チップを支持する領域から外向きにケーシングから離間案内されている。そこで接続部は一般的にろう接面を形成しており、ろう接面によって素子は基板に堅固にろう接することができる。
【０００３】
記載の形式の素子は、たとえば発光ダイオードとして、有利な光源として産業、自動車技術、テレコミュニケーション、さらに別の分野でもより一層多くの場合に使用されている。したがって機械的な負荷に関する要求も、素子の信頼性も大幅に高まっている。特に熱機械的な負荷に際しての機械的な要求が高くなっている。
【０００４】
そのような素子の信頼性は、ピーピーエム（Parts-per-Million；ｐｐｍ）の単位を有する指数で検出することができる。ここでは百万個のうちのどのくらいの数の素子に欠陥がみられるか求められる。次第にほぼ０ｐｐｍの欠陥率が要求されるようになってきている。
【０００５】
冒頭で述べた形式の公知の素子は、信頼性に関して所望の欠陥率を達成することができない、という欠点を有している。特徴的な欠点によれば、オプトエレクトロニクス式のチップとチップ支持体との間の結合部が、多くの場合破損されるか、または完全に剥離される。その原因を述べると、たとえば基板に接続部を堅固にろう接する際に生じるような、素子の温度負荷に際して、使用される材料の種々異なる熱機械的な特性が損なわれるようになる。たとえば素子を製作する際に、種々異なる熱膨張係数を有する材料を使用することが一般的である。さらにたとえばチップ支持体およびケーシングの材料は、弾性率に関してそれぞれ異なっている。熱負荷に際して、材料が異なっていることに基づいて、個々の材料成分を変形するかまたは互いに移動させるかもしくは切断する恐れのある機械的な強い力が生じる。
【０００６】
これによってろう接のあとで素子の故障リスクが高まり、この場合原因として多くの場合チップ支持体とチップとの間の電気的または機械的な結合部の剥離を挙げることができる。この場合既に素子の僅かな加熱によってチップとチップ支持体との間の開いた電気的なコンタクトが生じる。
【０００７】
本発明の課題は、冒頭で述べたような形式のオプトエレクトロニクス素子を改良して、信頼性の高められたものを提供することである。
【０００８】
この課題は、請求項１の特徴部に記載した構成手段を有するオプトエレクトロニクス素子によって解決される。オプトエレクトロニクス素子の有利な実施形態は別の請求項から理解することができる。
【０００９】
本発明の根底を成す思想によれば、温度負荷に際して生じる力、特にオプトエレクトロニクス式のチップとチップ支持体との間に作用する力を最小化するために、素子のできるだけ対称的な構成が所望される。これについては、特に素子の点対称的な構成によって試みられる。ボディが点対称的な構成を有している場合、ボディの、熱機械的な力の作用する各点で、同一のボディの、これに対して鏡面対称的な点が存在し、この点に、同じ大きさで、しかも逆向きに作用する力が作用する、という効果が利用される。したがってボディに、作用する全ての力を実質的に相互的に相殺する点が存在する。この点は、ボディが点対称になる点である。有利には対称点に素子が配置されている。前述の思想は、特に素子を包囲するボディに当てはまる。
【００１０】
チップ支持体に関して同じような思想が適用される。しかもここではウェブ状に延びる接続部に基づいて、先ず実質的にチップ支持体の接続部の長手中央軸線について考慮する必要がある。つまりチップ支持体と包囲するケーシングとの間に作用する力は、主に接続部の長手中央軸線に沿って作用する。このために留意することは、たとえば接続部のろう接に際して、接続部は高温にさらされており、高温はケーシングに伝達される、ということである。ろう接のあとで、チップ支持体の接続部は、ケーシングよりも極めて迅速に低温になり、このことは、とりわけ接続部の良好な熱伝導率と、基板の導体路に向かう熱的なコンタクトとに起因する。したがって接続部と包囲するボディとの間で剪断応力を及ぼす温度差が生じる。そのような剪断応力は、各接続部の長手中央軸線に沿って作用する力によって表される。本発明に基づいて念のために付記しておくが、ケーシングの他に、チップ支持体の接続部の長手中央軸線も、必要な対称性を有しており、これによって力の相殺を達成することができる。
【００１１】
オプトエレクトロニクス式のチップを備えたオプトエレクトロニクス素子が記載されている。さらにチップの取り付けられる中央領域を有するチップ支持体が設けられている。さらにチップ支持体は接続部を備えており、接続部はチップ支持体の中央領域から出発して外向きに延びている。オプトエレクトロニクス式のチップおよびチップ支持体の一部は、ボディによって包囲されている。チップの配置構造、ボディの形状付与およびチップ支持体の形状付与は次のように選択されていて、すなわちチップとチップ支持体との間のコンタクト面に対するボディと接続部の長手中央軸線との投影が、それぞれチップの中心点の投影に対して実質的に点対称であるように選択されている。
【００１２】
この場合有利には、接続部は、チップ支持体から離間して実質的に一平面上を外向きに延びている。
【００１３】
チップとチップ支持体との間のコンタクト平面は、たとえばチップ支持体にチップの取り付けられる取付平面によって形成することができる。
【００１４】
ここで述べておくと、本明細書において理解しやすくするために、「中心点に対して点対称」という表現は、「中心点の投影に対して点対称」という表現と同義的なものとする。
【００１５】
素子の対称的な構成によって、生じる熱機械的な力を互いに相殺して、これによって素子の故障リスクを低減することができる。
【００１６】
素子の１実施形態では、ボディが放射透過性の材料から成っている。その利点によれば、チップに形成される光は直接ボディを通って出力結合することができる。
【００１７】
素子の別の１実施形態では、ボディがケーシングを備えており、ケーシングは凹所を備えている。凹所に放射透過性のカバーが配置されている。チップはカバーに埋め込まれている。平面に対するカバーの投影は、有利にはチップの中心点に対して実質的に点対称である。
【００１８】
素子のこのような実施形態の利点によれば、放射透過性の材料は、使用される位置、つまりチップの直ぐ傍の周囲部分にしか使用されない。ボディの残存部分はケーシングとして形成することができ、ケーシングは、必ずしも放射透過性にする必要はなく、したがってケーシングのために、適当な多数の材料が提供され、たとえば重量、機械強度、処理性、熱膨張などに関して選択することができる。
【００１９】
ボディがそれぞれ異なる２つの材料から形成されている場合、特に有利には、ケーシングもカバーもそれぞれ中心点に対して実質的に点対称に成形されている。特に有利には、チップがカバーとケーシングとの対称点に配置されている。これによってケーシングにおいて熱に起因してカバーが変形する際に、チップの機械負荷を大幅に低減することができる。なぜならばカバーの変形に基づいてチップに作用する力は、カバーの点対称性もしくはコンタクト平面に対するカバーの投影の対称性に基づいて十分に相殺することができるからである。
【００２０】
２つの構成部材からボディを形成することによって、凹所の底部に、カバーとケーシングとの間のコンタクト面が生じる。素子の構造形式に応じて、コンタクト面は比較的大きくすることができ、それもチップ支持体の表面の大部分がカバーに対するコンタクトを有している場合にそうである。この場合カバーとケーシングとの間のコンタクト面は、凹所の底部がチップ支持体によってカバーされていない全ての箇所で生じる。
【００２１】
いわゆる「オーバモールド」の技術が使用される別の実施形態では、チップ支持体の大部分は完全にケーシングに埋め込まれ、カバーと凹所の底部とのコンタクトは、凹所の底部のほぼ全面にわたって行われる。
【００２２】
両方の場合有利には、コンタクト平面に対するカバーと凹所の底部との間のコンタクト面の投影は、チップの中心点に対して実質的に点対称である。これによって、カバーと凹所の底部との間に作用する剪断力が相互的にできるだけ良好に相殺する、ということが達成される。
【００２３】
素子の別の実施形態では、チップ支持体は、接続部の長手中央軸線だけでなくチップ支持体全体の平面に対する投影がチップの中心点に対して実質的に点対称であるように、形成されている。
【００２４】
このような実施形態の利点によれば、作用する力のさらに良好な相殺を達成することができる。
【００２５】
素子の別の実施形態では、チップ支持体から分離した別の接続部が設けられており、別の接続部は、チップ支持体とは反対側からチップをコンタクトするのに役立つ。このような接続部は、有利には、長手中央軸線ひいては接続部自体が、コンタクト平面に対する投影でみて、チップの中心点に対して実質的に点対称であるように、形成されている。
【００２６】
素子の別の実施形態では、ボディにチップ支持体を固定するための手段が設けられている。そのような固定手段は、たとえばチップ支持体から成形された逆さ鉤、チップ支持体に成形された孔またはたとえばチップ支持体に成形された深いエンボス加工部であってよい。孔および逆さ鉤は、たとえばボディの射出成形によるにチップ支持体の埋め込みに際して生じ得るような、ボディによるチップ支持体の良好な貫入をもたらす。このようなチップ支持体の固定手段は、前述の思想の観点で非対称的に配置することができる。つまりチップ支持体の固定手段は、位置に関して、チップの中心点に対して点対称性を有する必要はない。
【００２７】
別の実施形態によれば、有利には、チップの固定手段が、前述の実施形態に基づいて、チップの中心点に対して実質的に点対称に配置されている。
【００２８】
素子の別の実施形態によれば、チップの固定手段が、非対称的に、しかしながらチップ支持体にわたって均等に分配されており、これによってチップ支持体の半部が良好にボディに固定され、かつこれに対して別の半部、たとえばチップ支持体の反対側の半部が、平滑にボディに延びるのを防止することができる。このようなチップ支持体の半部の構成が存在すると、おそらくボディとチップ支持体との間の非対称的な剪断力が生じる、というリスクは高まるであろう。
【００２９】
素子の別の実施形態によれば、各接続部が、ボディの下面にろう接面を備えている。一方の利点によれば、素子を表面実装によって基板に取り付けることができる。他方の利点によれば、チップ支持体の対称性を良好に利用することができる。なぜならば作用する熱機械的な力の最適な相殺が、取付の際にチップ支持体の加熱が全ての接続部から十分な程度同時的に行われる時点で、行われるからである。
【００３０】
さらに素子を備えた配置構造が記載されており、ここではチップ支持体のろう接面はプリント基板の導体面にろう接されている。
【００３１】
次に本発明の実施例を図示し、詳しく説明する。
【００３２】
図面に関して付記しておくと、同一の符号で示した構成要素は、同一のものであるか、または少なくとも同一機能もしくは類似機能を有するものである。
【００３３】
図１には、オプトエレクトロニクス式のチップ１を備えた素子を示しており、チップ１は、チップ支持体２に取り付けられている。オプトエレクトロニクス式のチップ１は、たとえば発光ダイオードまたは別のレーザダイオードであってよい。オプトエレクトロニクス式のチップ１は、垂直方向でも横方向でも放射することができる。後者の場合ケーシング１１は、凹所１２の内面がチップ１から放射される光のためのリフレクタを形成するように、形成されている。
【００３４】
チップ支持体２は、たとえば導体フレーム（リードフレーム）から製作することができる。このような製作は有利であり、多数の素子を簡単かつ任意の形式で製作することができる。チップ支持体２は、ここでは極めて薄い導電性の金属薄板から成っていて、金属薄板から特定の形状で打ち抜き成形されている。たとえばチップ支持体２の材料として鉄−ニッケル−合金を使用することが考えられる。
【００３５】
チップ１およびチップ支持体２の中央部分は、ボディ５によって包囲されており、ボディ５は、ケーシング１１と放射透過性のカバー１３とから形成されている。放射透過性のカバー１３は、チップ１から放出される放射にとって透過性である材料から成っている。たとえばカバー１３のために樹脂を使用することが考えられる。
【００３６】
ケーシング１１は、有利には素子の機械的な安定化に役立つ。ケーシングは、たとえば熱可塑性樹脂から形成することができる。
【００３７】
図１に示した構成素子の製作に関して、いわゆる「プレモールド」技術に応じて、第１のステップでケーシング１１の射出成形によってチップ支持体２を包囲すると有利である。第２のステップで、チップ１およびワイヤがケーシング１１の開口（凹み；Kabitaet）に取り付けられる。第３のステップで、カバー１３がケーシングの凹所１２に埋め込まれる。
【００３８】
図１に詳しく示した構成素子の実施例は、いわゆる「オーバモールド」技術を使用したものではない。これの意味するところによれば、チップ支持体２の上面は凹所１２の領域で、ケーシング１１の材料によって覆われていない。したがってカバー１３とケーシング１１の底部との間の直接的なコンタクトは、専らケーシング底部の、チップ支持体２から解放された箇所で所与されている。考えられる別の実施例によれば、「オーバモールド」技術が適用され、ここではチップ支持体２の上面も大面積にわたってケーシング１１の材料によって覆われるようになっている。この場合カバー１３と凹所１２の底部との間の比較的大きなコンタクト面が得られる（図３、図４および図５の符号１４参照）。
【００３９】
記載の実施例で示した素子は、いずれも「オーバモールド」技術を用いずに製作した素子として示した。
【００４０】
ケーシング１１の下面にチップ２の両方の接続部４１，４２がろう接面１６を形成しており、ろう接面１６は、プリント基板１７の導電性の面１８にろう接されている。
【００４１】
さらに言及しておくと、チップ１とチップ支持体２との間のコンタクトひいては取付面、ならびに接続部４１，４２の、ボディ５の内側に位置する部分は、実質的に一平面上に位置する。しかしながらこのことは強制的ではなく、むしろ中央領域（図３、図４および図５の符号３参照）が、接続部４１，４２の、ボディ５の内側で延びる区分よりも高くなっているかまたは凹んでいることも考えられる。この場合基準面（基準面に関して点対称の基準を満たすことができる）は、チップ１とチップ支持体２との間のコンタクト面である。
【００４２】
プリント基板１７の導体面１８に対する接続部４１，４２の取付は、はんだ２０によって行われる。
【００４３】
図２には、チップ１とチップ支持体２との間のコンタクト平面に対するボディ５の投影を示した。この図２から判るように、ケーシング１１も、放射透過性のカバー１３も、外側輪郭に関して、平面図でみると、チップ１の中心点８に対して点対称である。チップ１とチップ支持体２との間のコンタクト面に対するボディ５およびカバー１３の投影に関しても同様である。これに対して追加的に、素子であるケーシング１１およびカバー１３は、特にチップ１とチップ支持体２との間のコンタクト平面に対する投影に関して、追加的な対称条件を満たしている。つまりケーシング１１およびカバー１３は、互いに直交する両軸線１０１，１０２に関して対称的である。これによってケーシング１１およびカバー１３の対称性が付加的に高められ、これによって素子の故障リスクを追加的に減少することができる。
【００４４】
図３には、チップ１とチップ支持体２との間のコンタクト平面に対するチップ支持体２の投影を示した。ここで述べておくと、接続部４１，４２は、図１とは異なって、この時点ではケーシング１１の縁部に沿って下方に、次いでケーシング１１の下面に沿って内向きに曲げられていない。むしろ接続部４１，４２はケーシング１１から真っ直ぐに外向きに案内されている。図３から判るように、接続部４１，４２の長手中央軸線６１，６２は、チップ１の中心点８に対して点対称である。さらにチップ支持体２は全体として中心点８に対して点対称に形成されている。さらに図３から判るように、チップ支持体は、チップ１の取り付けられる中央領域３を有している。さらにまたチップ支持体２は接続部４１，４２を備えており、接続部４４，４２は、チップ１の電気的なコンタクトに役立ち、かつ中央領域３から出発して外向きに実質的に一平面上を延びている。
【００４５】
さらに図３から判るように、チップ支持体２もまた追加的な別の対称性を有している。チップ支持体２は、特に互いに直交する両軸線１０１，１０２に対して対称であり、この場合軸線１０１，１０２は、ケーシング１１およびカバー１３が対称となっているところの軸線１０１，１０２と同一のものである。
【００４６】
さらに図３には、接続部４１，４２に沿って作用する力を黒塗りの矢印で示した。力は、たとえば接続部４１，４２のろう接によって生じる熱に起因する。さらに判るように、力はそれぞれ逆向きであり、かつ値的に同じ大きさである。したがってこれらの力は、少なくとも対称点８において相殺されている。
【００４７】
さらに図３から、カバー１３と凹所１２の底部との間のコンタクト面１４の形状を看取することができる。カバー１３、ケーシング１１およびチップ支持体２が対称的な構成を有していることに基づいて、また図示の実施例では「オーバモールド」技術が省略されているという状況に基づいて、コンタクト面１４の対称特性は自動的に得られる。なぜならばコンタクト面１４はチップ支持体２の面に対して相補的であり、この場合チップ支持体２の面と、コンタクト面１４の面とが、協働して凹所１２の底部の面を成し、この面は所望の対称性を有しているからである。
【００４８】
ケーシング１１の材料でチップ支持体２を部分的に覆うことに基づいて、コンタクト面１４に関する自動的な対称性が形成されてない「オーバモールド」技術の場合、このために適当な構成手段を講じる必要がある。
【００４９】
図４には、チップ支持体２の構成に関する別の実施例を示した。チップ支持体２は、ある種の斜め十字（×印）をイメージした形状に成形されている。ここでも図３に関する全ての対称条件が満たされている。チップ支持体２は、中心点８に対して点対称であり、また軸線１０１，１０２に対して線対称である。図３の実施例とは異なって、チップ支持体２は、２つの接続部４１，４２の代わりに４つの接続部４１，４２，４３，４４を備えている。追加的に長手軸線６１，６２，６３，６４の経過が示されている。
【００５０】
さらに図４には、ボディ５にチップ支持体２を固定するのに役立つ固定手段１５の位置を示した。図４から判るように、固定手段１５は、チップ支持体２にわたってある程度均等に分配されており、特に互いに直交する両方の対称軸線１０１，１０２によって形成される象限が固定手段１５から外れないようにする必要がある。しかも図４から判るように、固定手段１５の位置は、図示の残りのコンポーネントの対称性を有していない。このことは本発明による目的を達成するために必ずしも必要ではないので、固定手段１５は、特定の対象性を鑑みることなく方向付けして、場合によっては存在する別の要求に関して調整して配置することができる。
【００５１】
さらに図４から判るように、別の接続部４８，４９が設けられており、別の接続部４８，４９はチップ支持体２にとって必要な、チップ１のコンタクトのための対極を形成する。接続部４８，４９も、中心点８に対して点対称に形成されていて、しかも軸線１０１，１０２に対して線対称に形成されている。点対称性の他に二重の線対称である接続部４１，４２，４３，４４，４８，４９の配置構造の有する作用によれば、チップ支持体２とボディ５との間、もしくは接続部４８，４９とボディ５との間で作用する、図４に黒塗りの矢印で示した引張力が、並進運動に関して、またトルクに関して相互的に相殺し合う。これの意味するところによれば、負荷状態でチップ１の位置は、並進運動力から、またトルクから十分に解放されている。
【００５２】
さらに言及しておくと、接続部４１，４２，４３，４４は、対称軸線１０１に対してほぼ平行にボディから離間するように、チップ支持体から外向きに延びることができる。接続部４１，４２，４３，４４は、ボディ５の、接続部４８，４９から解放された側面から外向きに延びている。
【００５３】
これに対して図５には、チップ支持体２の別の実施例を示しており、ここではチップ支持体２の２重の線対称は所与されていない。むしろ図５の実施例によれば、チップ支持体２、すなわち中央領域３は、接続部４１，４２と相俟って中心点８に対する点対称性しか有していない。したがってここでは長手中央軸線６１，６２に沿って作用する引張力は相殺することができるが、たとえばボディ５が熱的に軟化される場合にトルクがチップ１に作用することが考えられる。しかしながらこのことはある程度まで不都合なものではないので、本発明の範囲内で、図３および図４に示した実施例のような２重の線対称性を有していないチップ支持体を許容することができる。
【００５４】
さらに図５から判るように、チップ１の上面のコンタクトのために別の接続部４８を設けることができ、別の接続部４８は、前述の対称条件を満たしていない。これについては本発明の目的を達成するためには必ずしも必要ではないので、図５は本発明の完全な実施例であるといえる。
【００５５】
さらにワイヤボンディング１９について述べておくと、ワイヤボンディング１９は、接続部４８を、チップ１の、チップ支持体２とは反対側の面と接続している。
【００５６】
本発明の権利保護範囲は、説明した本発明の実施例に制限されるものではない。むしろ本発明は、特に請求の範囲に記載の特徴のあらゆる組み合わせを含むものであり、しかも請求の範囲に詳しく言及しない特徴の組み合わせをも含むものとする。
【００５７】
本明細書は、２００２年１１月２９日のドイツ連邦共和国特許出願公開第１０２５５９３２号明細書の優先権を主張しており、したがって前掲明細書に記載の開示内容は、これを引用することによって、本発明の明細書に含むものとする。
【図面の簡単な説明】
【００５８】
【図１】本発明による素子の１実施例を概略的に示す断面図である。
【図２】一平面に対する、本発明による素子の１実施例のケーシング、チップおよびカバーの投影を示す概略図である。
【図３】一平面に対する、本発明による素子の１実施例のチップ支持体の投影を示す概略図である。
【図４】一平面に対する、本発明による素子の別の１実施例のチップ支持体の投影を示す概略図である。
【図５】一平面に対する、例示したチップ支持体の投影を示す概略図である。
【符号の説明】
【００５９】
１  オプトエレクトロニクス素子、  ２  チップ支持体、  ５  ボディ、  １１  ケーシング、  １２  凹所、  １３  カバー、  １４  コンタクト面、  １５  固定手段、  １６  ろう接面、  １７  プリント基板、  １８  導体面、  １９  ボンディングワイヤ、  ２０  はんだ、  ４１，４２，４３，４４  接続部、  ４８，４９  接続部、  ６１，６２，６３，６４  長手中央軸線、  １０１，１０２  軸線
【図１】
2006508537.tif 000003
【図２】
2006508537.tif 000004
【図３】
2006508537.tif 000005
【図４】
2006508537.tif 000006
【図５】
2006508537.tif 000007
【国際調査報告】
2006508537.tif 000008
2006508537.tif 000009
2006508537.tif 000010
2006508537.tif 000011
2006508537.tif 000012
2006508537.tif 000013